(57)【要約】【課題】  測定端子が接続対象から外れ難くすることができる測定構造、引込分岐端子箱、測定端子及び測定方法を提供することを課題とする。【解決手段】  先端同士が接離するように基端同士が連結された一対の端子片２１を有する測定端子２と、所定間隔をあけて対向配置された一対の接続部３２を有する接続対象３と、を備え、一対の端子片２１の先端が一対の接続部３２の間に位置し、各先端の接離方向の外側面２１５が各接続部の内面に係止するように、測定端子２と接続対象３とが接続される測定構造１であって、測定端子２と接続対象３とが接続された状態で、一対の端子片２１間に配置され、一対の端子片２１を先端同士が離れる方向に付勢する外れ防止部材４を備えることを特徴とする測定構造１。【選択図】図１
2018036135.tif 000002
【特許請求の範囲】
【請求項１】
先端同士が接離するように基端同士が連結された一対の端子片を有する測定端子と、所定間隔をあけて対向配置された一対の接続部を有する接続対象と、を備え、一対の端子片の先端が一対の接続部の間に位置し、各先端の接離方向の外側面が各接続部の内面に係止するように、測定端子と接続対象とが接続される測定構造であって、測定端子と接続対象とが接続された状態で、一対の端子片間に配置され、一対の端子片を先端同士が離れる方向に付勢する外れ防止部材を備えることを特徴とする測定構造。
【請求項２】
外れ防止部材は、一対の端子片の接離方向及び一対の端子片の先端と基端とを結ぶ方向に直交する方向から一対の端子片同士の間に配置可能に構成されている請求項１に記載の測定構造。
【請求項３】
先端同士が接離するように基端同士が連結された一対の端子片を有する測定端子の先端を挿入する挿入孔が形成され、所定間隔をあけて対向配置された一対の接続部を有する接続対象を収容し、一対の端子片の先端が外部から挿入孔を介して挿入されて一対の接続部の間に位置した状態で、各先端の接離方向の外側面が各接続部の内面に係止するように、測定端子と接続対象とを接続するように構成された引込分岐端子箱であって、測定端子と接続対象とが接続された状態で、一対の端子片間に配置され、一対の端子片を先端同士が離れる方向に付勢するべく、前記挿入孔内に配置される外れ防止部材を備えることを特徴とする引込分岐端子箱。
【請求項４】
先端同士が接離するように基端同士が連結された一対の端子片を備え、所定間隔をあけて対向配置された一対の接続部を有する接続対象を収容する引込分岐端子箱に形成された挿入孔に先端が外部から挿入された状態で、一対の端子片の先端が一対の接続部の間に位置し、各先端の接離方向の外側面が各接続部の内面に係止するように、接続対象に接続される測定端子であって、一対の端子片間に配置された外広げ部材を有し、且つ一対の端子片に対して該端子片の先端基端方向に沿って相対移動可能に構成された外れ防止部材を備え、外広げ部材は、測定端子が接続端子に接続された状態で一対の端子片を先端同士が離れる方向に付勢するべく、外れ防止部材が一対の端子片の基端側に相対移動することで、一対の端子片を離れる方向に付勢するように構成されていることを特徴とする測定端子。
【請求項５】
先端同士が接離するように基端同士が連結された一対の端子片を有する測定端子と、所定間隔をあけて対向配置された一対の接続部を有する接続対象とを、一対の端子片の先端を一対の接続部の間に位置させた状態で、各先端の接離方向の外側面が各接続部の内面に係止するように接続する測定方法であって、一対の端子片間に、該一対の端子片を先端同士が離れる方向に付勢する外れ防止部材を配置することで、一対の端子片の先端を外向け付勢して、一対の接続部に係止することを特徴とする測定方法。
【発明の詳細な説明】
【技術分野】
【０００１】
本発明は、電圧や電流等の測定対象を測定するための測定構造及び測定方法、若しくは、該測定構造や測定方法に用いることができる、引込分岐端子箱、測定端子に関する。
【背景技術】
【０００２】
従来から、電圧や電流等の測定対象を測定するために、接続対象に電気的に接続される測定端子として、様々なものが提案されている。
【０００３】
図１０に示すように、この種の測定端子の一つとして、所定間隔を隔てて対向配置された一対の弾性接触片１０１を備えた測定用クリップ１００がある。一対の弾性接触片１０１は、先端１０２同士が接離するように基端１０３同士が連結されている（特許文献１）。
【０００４】
この測定用クリップ１００は、例えば、接続対象としてのマイナスネジ２００に接続される。具体的には、測定用クリップ１００は、一対の弾性接触片１０１の基端１０３側が把持され、該一対の弾性接触片１０１が近接する方向（閉方向）に操作力が付与されると、対向する一対の弾性接触片１０１の先端１０２側が接近するように構成されている。この状態で、マイナスネジ２００のネジ頭部２０１に形成された工具差込口２０２に先端１０２が挿入され、操作力が解除されると、一対の弾性接触片１０１の先端１０２側に作用する開方向の弾性力によって、一対の弾性接触片１０１がマイナスネジ２００に係止するようになっている。
【先行技術文献】
【特許文献】
【０００５】
【特許文献１】特開２００６−２１４８７８号公報
【発明の概要】
【発明が解決しようとする課題】
【０００６】
ところで、この測定用クリップ１００は、一対の弾性接触片１０１自身の弾性力によって、マイナスネジ２００との接続状態を維持するものである。そのため、一対の弾性接触片１０１の弾性力が弱まると、測定用クリップ１００がマイナスネジ２００から外れてしまう虞がある。
【０００７】
なお、このような問題は、電圧や電流を測定する場合に限られず、一対の弾性接触片１０１の弾性力を利用して測定端子と接続対象とを接続して、測定対象を測定する場合に起こり得るものである。
【０００８】
そこで、本発明は、かかる実情に鑑み、測定端子が接続対象から外れ難くすることができる測定構造、引込分岐端子箱、測定端子及び測定方法を提供することを課題とする。
【課題を解決するための手段】
【０００９】
本発明に係る測定構造は、先端同士が接離するように基端同士が連結された一対の端子片を有する測定端子と、所定間隔をあけて対向配置された一対の接続部を有する接続対象と、を備え、一対の端子片の先端が一対の接続部の間に位置し、各先端の接離方向の外側面が各接続部の内面に係止するように、測定端子と接続対象とが接続される測定構造であって、測定端子と接続対象とが接続された状態で、一対の端子片間に配置され、一対の端子片を先端同士が離れる方向に付勢する外れ防止部材を備えることを特徴とする。
【００１０】
かかる構成によれば、一対の端子片が、外れ防止部材によって先端同士が離れる方向に付勢された状態で、測定端子と接続対象とが接続する。そのため、測定端子が接続対象に密着するように（押し付けられるように）測定端子が付勢された状態で、測定端子と接続対象とが接続するので、測定端子と接続対象とを強固に接続することができる。
【００１１】
本発明の一態様として、外れ防止部材は、一対の端子片の接離方向及び一対の端子片の先端と基端とを結ぶ方向に直交する方向から一対の端子片同士の間に配置可能に構成されていてもよい。
【００１２】
かかる構成によれば、一対の端子片と一対の接続部とを接続した後に、一対の端子片間に外れ防止部材を配置することができる。また、一対の端子片間に外れ防止部材を配置した後に、一対の端子片と一対の接続部とを接続することもできる。そのため、かかる構成の測定構造では、外れ防止部材が扱い易いものとなっている。
【００１３】
本発明に係る引込分岐端子箱は、先端同士が接離するように基端同士が連結された一対の端子片を有する測定端子の先端を挿入する挿入孔が形成され、所定間隔をあけて対向配置された一対の接続部を有する接続対象を収容し、一対の端子片の先端が外部から挿入孔を介して挿入されて一対の接続部の間に位置した状態で、各先端の接離方向の外側面が各接続部の内面に係止するように、測定端子と接続対象とを接続するように構成された引込分岐端子箱であって、測定端子と接続対象とが接続された状態で、一対の端子片間に配置され、一対の端子片を先端同士が離れる方向に付勢するべく、前記挿入孔内に配置される外れ防止部材を備えることを特徴とする。
【００１４】
かかる構成によれば、外れ防止部材が一対の端子片の間に位置した状態で一対の端子片を引込分岐端子箱の挿入孔から内部へ挿入し、一対の端子片の先端を一対の接続部の間に位置させると、一対の端子片が、外れ防止部材によって先端同士が離れる方向に付勢された状態で、測定端子と接続対象とが接続する。そのため、測定端子が接続対象に密着するように（押し付けられるように）測定端子が付勢された状態で、測定端子と接続対象とが接続するので、測定端子と接続対象とを強固に接続することができる。
【００１５】
本発明に係る測定端子は、先端同士が接離するように基端同士が連結された一対の端子片を備え、所定間隔をあけて対向配置された一対の接続部を有する接続対象を収容する引込分岐端子箱に形成された挿入孔に先端が外部から挿入された状態で、一対の端子片の先端が一対の接続部の間に位置し、各先端の接離方向の外側面が各接続部の内面に係止するように、接続対象に接続される測定端子であって、一対の端子片間に配置された外広げ部材を有し、且つ一対の端子片に対して該端子片の先端基端方向に沿って相対移動可能に構成された外れ防止部材を備え、外広げ部材は、測定端子が接続端子に接続された状態で一対の端子片を先端同士が離れる方向に付勢するべく、外れ防止部材が一対の端子片の基端側に相対移動することで、一対の端子片を離れる方向に付勢するように構成されていることを特徴とする。
【００１６】
かかる構成によれば、外れ防止部材は、一対の端子片の基端側に相対移動すると、一対の端子片同士が離れる方向に該一対の端子片を付勢する。そのため、一対の端子片を引込分岐端子箱の挿入孔に挿入し、一対の端子片の先端を一対の接続部の間に位置させた状態で、外れ防止部材を一対の端子片の基端側に相対移動させることで、一対の端子片が、外れ防止部材によって先端同士が離れる方向に付勢され、測定端子と接続対象とが接続する。そのため、測定端子が接続対象に密着するように（押し付けられるように）測定端子が付勢された状態で、測定端子と接続対象とが接続するので、測定端子と接続対象とを強固に接続することができる。
【００１７】
本発明に係る測定方法は、先端同士が接離するように基端同士が連結された一対の端子片を有する測定端子と、所定間隔をあけて対向配置された一対の接続部を有する接続対象とを、一対の端子片の先端を一対の接続部の間に位置させた状態で、各先端の接離方向の外側面が各接続部の内面に係止するように接続する測定方法であって、一対の端子片間に、該一対の端子片を先端同士が離れる方向に付勢する外れ防止部材を配置することで、一対の端子片の先端を外向け付勢して、一対の接続部に係止することを特徴とする。
【００１８】
かかる構成によれば、一対の端子片が、外れ防止部材によって先端同士が離れる方向に付勢された状態で、測定端子と接続対象とが接続する。そのため、測定端子が接続対象に密着するように（押し付けられるように）測定端子が付勢された状態で、測定端子と接続対象とが接続するので、測定端子と接続対象とを強固に接続することができる。
【発明の効果】
【００１９】
以上より、本発明によれば、測定端子が接続対象から外れ難くすることができる測定構造、引込分岐端子箱、測定端子及び測定方法を提供することができる。
【図面の簡単な説明】
【００２０】
【図１】図１は、本発明の一実施形態に係る測定構造において、測定端子と接続対象とが接続された状態を説明するための図である。
【図２】図２は、同実施形態に係る測定構造の測定端子である。
【図３】図３は、同実施形態に係る測定構造の接続対象が収容された引込分岐端子箱の正面図である。
【図４】図４は、引込分岐端子箱の側面図であって、図３のＩＶ−ＩＶ線位置において一部破断した側面図である。
【図５】図５は、同実施形態に係る測定構造の外れ防止部材であって、図５（ａ）は、外れ防止部材の斜視図、図５（ｂ）は、外れ防止部材が引込分岐端子箱に取り付けられた状態の断面図である。
【図６】図６は、同実施形態に係る測定構造において、測定端子と接続対象とが接続されるまでの過程を説明するための概略図である。
【図７】図７は、他実施形態に係る測定構造であって、図７（ａ）は、外れ防止部材の斜視図、図７（ｂ）は、測定端子と接続対象とが接続されるまでの過程を説明するための概略図である。
【図８】図８は、別の実施形態に係る測定構造であって、図８（ａ）は、外れ防止部材を一対の端子片間に配置した状態の平面図、図８（ｂ）は、外れ防止部材を一対の端子片間に配置する過程を説明するための概略図である。
【図９】図９は、測定端子の変形例である。
【図１０】図１０は、従来の測定用クリップである。
【発明を実施するための形態】
【００２１】
電柱に配電される電力の電圧測定を行う場合には、通常、電柱上に設置された引込分岐端子箱内に設置された接続対象としての導体から配電線の電圧を取り出し、その電圧変化を測定する。この場合、電圧記録計を電柱に取り付け、電圧記録計の電圧測定ケーブルの先端に取り付けられた測定端子を、引込分岐端子箱内の導体へ接続する。電圧は、通常、一週間程度測定されることから、測定端子と導体との接続状態を確実に保つ必要がある。本実施形態に係る測定構造は、測定端子が導体などの接続対象から外れ難くするものであり、例えば、上記のように、電柱に配電される電力の電圧を測定する場合に使用される。
【００２２】
以下、本発明の一実施形態に係る測定構造について、図面を参照しつつ説明する。
【００２３】
図１に示すように、本実施形態の測定構造１は、電圧等の測定対象を測定する測定端子２と、該測定端子２が接続される接続対象３と、測定端子２が接続対象３から外れるのを防止するための外れ防止部材４と、を備える。本実施形態では、測定端子２を、引込分岐端子箱５内に設置された接続対象３に接続する場合について説明する。
【００２４】
図２に示すように、測定端子２は、先端２１１同士が接離するように基端２１２同士が連結された一対の端子片２１を有する。測定端子２の基端２１２には、電圧記録計（図示しない）の電圧測定ケーブルＬが繋がっており、該電圧測定ケーブルＬを介して接続対象３と電圧記録計とが電気的に接続される。測定端子２は、十分な剛性及び導電性を有する金属材料で形成されている。本実施形態の測定端子２は、一枚の板状部材で形成されている。具体的には、測定端子２は、長辺及び短辺を有する一枚の矩形の板状部材が、長手方向における中心を軸として、半分に折り曲げられたものである。
【００２５】
測定端子２は、外力を受けない状態の自然姿勢Ｓから、内側に向かって外力を受けることで、一対の端子片２１同士が接近した状態の内挟姿勢Ｔ１へ変形可能に構成されている。また、測定端子２は、自然姿勢Ｓから、外側に向かって外力を受けることで、一対の端子片２１同士が離間した状態の外広姿勢Ｔ２へ変形可能に構成されている。本実施形態では、測定端子２は、作業者に掴まれることで、自然姿勢Ｓから、内挟姿勢Ｔ１へ変形し、後述する挿入孔５２に対して挿入される。また、測定端子２は、自然姿勢Ｓから、外広姿勢Ｔ２へ変形し、後述する外広げ部材４３によって一対の端子片２１同士が離間するように押し広げられる。
【００２６】
端子片２１は、先端２１１と基端２１２との間に位置する中途部２１３を有する。端子片２１は、長辺及び短辺を有する矩形のストレートな板状部材である。一対の端子片２１は、最も広い板面同士が対向するように基端２１２同士が連結されている。一対の端子片２１のそれぞれは、一方の端子片２１と対向する対向面２１４と、該対向面２１４の反対側の外側面２１５と、を有する。一対の端子片２１は、中途部２１３における先端２１１に近い位置から基端２１２にかけて絶縁膜（図２中の斜線部位）によって被覆されており、該絶縁膜によって被覆された部分が、操作部２１６となっている。一対の端子片２１同士が接離するように、操作部２１６が操作される。
【００２７】
図１に戻って示すように、接続対象３は、所定間隔をあけて対向配置された一対の接続部３２を有する。本実施形態の接続対象３は、引込分岐端子箱５内に配置されている。そのため、まず、図１、図３、及び図４を参照しつつ、引込分岐端子箱５について説明する。図１は、引込分岐端子箱５の後述する蓋部５１１が開放され、引込分岐端子箱５内が見えている状態の図である。図１は、測定端子２が、接続対象３に接続された状態を示している。図３は、引込分岐端子箱５の蓋部５１１が閉じられた状態の正面図であって、測定端子２が接続される前の正面図である。図４は、図３のＩＶ−ＩＶ線位置で一部破断した状態の引込分岐端子箱５の側面図である。
【００２８】
図３及び図４に示すように、引込分岐端子箱５は、箱状の本体部５１を備える。引込分岐端子箱５は、該本体部５１の内部に、電線Ｗの心線と電気的に接続するベース導体３であって、測定端子２が接続される接続対象３となるベース導体３を収容している。引込分岐端子箱５には、電線Ｗを挿入する挿入孔５２が形成されている。本実施形態の挿入孔５２は、円形状に開口するように形成されている。
【００２９】
本体部５１は、ベース導体３を収容する収容部５１２であって、ベース導体３を出し入れする開口を有する収容部５１２と、該収容部５１２の開口を開閉可能に閉塞する蓋部５１１と、を備える。収容部５１２は、矩形板状の底部５４と、該底部５４の周縁から延設される側部５３と、を備える。
【００３０】
側部５３は、底部５４の幅方向で対向する一対の幅側部５３１と、底部５４の長手方向で対向する一対の長手側部５３２と、を備え、一対の幅側部５３１の長手方向両端部と、一対の長手側部５３２の幅方向両端部とが連結することで、底部５４の周縁に亘る側部５３が形成されている。この本体部５１は、底部５４の長手方向が高さ方向に沿い、幅方向が水平方向に沿うように配置される。即ち、本実施形態では、本体部５１は、複数の挿入孔５２が高さ方向に並ぶように配置されている。
【００３１】
各側部５３は、長辺及び短辺を有する板状部材である。各側部５３の長辺は、本体部５１の高さ方向に延びている。挿入孔５２は、長辺が延びる方向（以下、長辺方向とする）に沿って複数形成されている。
【００３２】
図１及び図４に示すように、ベース導体３は、電線Ｗの心線と接続するベース部３１と、該ベース部３１の一方の面に配置された複数の壁部３２と、電線Ｗの心線をベース部３１に対して押圧する押圧部材３４と、押圧部材３４をベース部３１に対して固定するボルト３５と、を有する。ベース導体３は、導電性部材によって形成されている。
【００３３】
ベース部３１は、長辺及び短辺を有する矩形状の板状部材である。ベース部３１には、電線Ｗの心線を配置するための複数の凹部３１１であって、ベース部３１の板厚方向に窪む凹部３１１が、短辺が延びる方向（本体部５１の幅方向）における一端から他端に亘って延びている。そして、該複数の凹部３１１は、長辺方向（本体部５１の高さ方向）に沿って並ぶように形成されている。
【００３４】
壁部３２は、長辺及び短辺を有する板状部材である。壁部３２は、長辺方向（本体部５１の幅方向）における両端部に厚壁部３２１を有する。壁部３２は、厚壁部３２１と厚壁部３２１との間に、該厚壁部３２１よりも薄い薄壁部３２２と、厚壁部３２１と薄壁部３２２との境界で段差を構成する段差部３２３と、を有する。
【００３５】
壁部３２は、ベース部３１における凹部３１１が形成された側の面に配置されている。壁部３２の長辺の長さは、ベース部３１の短辺の長さと略同じとなるように形成され、短辺が壁部３２の高さを構成するように、ベース部３１上に配置されている。壁部３２は、ベース部３１の長辺方向に所定間隔を開けるように複数配置されている。複数の壁部３２は、対向する壁部３２同士の間に凹部３１１が位置するように配置されている。対向する壁部３２の一対の壁面と、凹部３１１の壁面とで、電線Ｗを配置するための電線受入凹所３３を構成している。
【００３６】
ベース導体３は、側部５３の挿入孔５２から挿入された電線Ｗが、対向する壁部３２同士の間に配置されるように挿入孔５２の開口領域と、電線受入凹所３３の電線配置領域とが幅方向で連通するように、本体部５１内に配置されている。電線受入凹所３３に配置された電線Ｗは、押圧部材３４によって心線がベース部３１に当接するように押圧された状態でボルト３５によって固定される。これにより、電線の心線とベース導体３とが電気的に接続される。
【００３７】
外れ防止部材４は、測定端子２とベース導体３とが接続された状態で、一対の端子片２１間に配置され、一対の端子片２１を先端２１１同士が離れる方向に付勢する外広げ部材４３を有する。外れ防止部材４は、引込分岐端子箱５に対して着脱可能に構成されている。図４〜図６に示すように、外れ防止部材４は、挿入孔５２内に配置されている。本実施形態の外れ防止部材４は、引込分岐端子箱５の側部５３に形成された挿入孔５２の内周面と係合するように構成されている。具体的には、外れ防止部材４は、挿入孔５２に挿入される嵌合部４１と、挿入孔５２の縁に係止する係止部４２と、嵌合部４１の開口内に配置された、外広げ部材４３としての柱状部４３と、を有する。外れ防止部材４は、絶縁性の材料で形成されている。
【００３８】
図５（ａ）及び（ｂ）に示すように、嵌合部４１は、筒状に形成されている。本実施形態の嵌合部４１は、円筒状に形成されている。嵌合部４１は、挿入孔５２に挿入され、挿入孔５２の内周面と嵌合部４１の外周面とが当接することで、挿入孔５２の内周面に対して嵌合する。本実施形態の係止部４２は、嵌合部４１における二つの開口端縁のうちの一方の開口端縁側に配置されている。具体的には、本実施形態の係止部４２は、嵌合部４１の一方の開口端縁から延出して鍔状に形成されている。
【００３９】
柱状部４３は、所定の太さを有する柱状部材である。柱状部４３は、一対の端子片２１間に配置される部分である。本実施形態の柱状部４３は、一対の端子片２１における先端と基端との間に位置するように配置される。具体的には、柱状部４３は、軸線が測定端子２の先端と基端とを結ぶ方向に直交するように配置される。柱状部４３は、一対の端子片２１の間に位置することで、一対の端子片２１を広げることができる太さを有する。
【００４０】
柱状部４３は、嵌合部４１の内部に、所定の隙間を形成するように配置されている。具体的には、柱状部４３は、軸線方向が嵌合部４１の径方向に沿う向きで、軸線方向の両端部が嵌合部４１の内面に接続している。これにより、嵌合部４１の内面と柱状部４３の外面との間には、所定の隙間Ｐ１が形成される。本実施形態の柱状部４３は、凹凸面の無いストレートな円柱状に形成されている。
【００４１】
本実施形態の測定構造１の説明は以上である。次に、本実施形態の測定構造１により、測定対象を測定する測定方法について説明する。
【００４２】
まず、電圧記録計の電圧測定ケーブルＬの先端と測定端子２の基端とを繋いで、測定端子２と電圧測定ケーブルＬとを電気的に接続可能な状態とする。引込分岐端子箱５における電線Ｗが接続されていない電線受入凹所３３に対応した挿入孔５２に、外れ防止部材４の嵌合部４１を挿入することで、挿入孔５２の内周面と嵌合部４１の外周面とを嵌合させ、係止部４２を、挿入孔５２の縁に係止する。そして、外れ防止部材４が脱落しないように外れ防止部材４を引込分岐端子箱５に固定する。この場合、一対の端子片２１同士の間に位置することで、一対の端子片２１同士を離間させる方向に広げることのできる太さの柱状部４３を有する外れ防止部材４を使用する。
【００４３】
図６に示すように、一対の端子片２１間に柱状部４３が位置するように、一対の端子片２１の各先端２１１を、隙間Ｐ１に位置させる（図６のＡの状態）。この状態で、測定端子２を挿入方向に挿入していく。柱状部４３は、一対の端子片２１を一対の端子片２１同士が離間する方向に広げていくため、一対の端子片２１の先端２１１同士は、挿入孔５２への挿入に伴って離間する。
【００４４】
測定端子２が壁部３２に到達した状態で、先端２１１同士の外側面２１５基準の離間距離Ｄ１が、一対の壁部３２の対向距離Ｄ２よりも小さく、先端２１１が一対の壁部３２の間に位置可能となる（図６のＢの状態）。この状態で、測定端子２を挿入方向に挿入する。各先端２１１の外側面２１５が壁部３２の内壁面に係止（当接）することで測定端子２の挿入が止まると、この状態で測定端子２を挿入方向に押す。これにより、先端２１１が厚壁部３２１の内壁面を越え、先端２１１が薄壁部３２２側に突出し、先端２１１が付勢された状態で測定端子２とベース導体３とが接続する（図６のＣの状態）。即ち、本実施形態では、対向する壁部３２の内壁面が一対の接続部３２として機能している。
【００４５】
本実施形態では、一対の端子片２１の各先端２１１の接離方向の外側面２１５が、各厚壁部３２１の内壁面に係止するように、測定端子２とベース導体３とが接続している。
【００４６】
以上のように、本実施形態の測定構造１は、柱状部４３が一対の端子片２１の間に位置した状態で一対の端子片２１を引込分岐端子箱５の挿入孔５２に挿入し、一対の端子片２１の先端２１１を対向する壁部３２の間に位置させると、一対の端子片２１が、柱状部４３によって先端２１１同士が離れる方向に付勢された状態で、測定端子２とベース導体３とが接続する。そのため、測定端子２がベース導体３に密着するように（押し付けられるように）測定端子２が付勢された状態で、測定端子２とベース導体３とが接続されるので、測定端子２とベース導体３とを強固に接続することができる。
【００４７】
上記実施形態では、柱状部４３は、凹凸面の無いストレートな円柱状に形成されている。これにより、一対の端子片２１の先端２１１同士を若干離間させた状態で、先端２１１同士の間に柱状部４３を位置させ、先端２１１を柱状部４３に外周面に宛がった状態で押し込む。そうすると、一対の端子片２１の先端２１１が柱状部４３の外周面を滑るので、一対の端子片２１の先端２１１同士が柱状部４３に押し広げられるように自然に離間する。これにより、測定端子２とベース導体３とを容易に接続することができる。
【００４８】
上記実施形態では、壁部３２が段差部３２３を有することにより、一対の端子片２１の先端２１１が厚壁部３２１の内壁面に係止した状態から、測定端子２を挿入方向に押し込むことができる。即ち、一対の端子片２１の先端２１１を一対の薄壁部３２２側に逃がすことができるため、壁部３２がストレートな面を有している場合と比較して、測定端子２をベース導体３の奥まで挿入することができる。これにより、柱状部４３がより大きな力で一対の端子片２１を付勢することができるため、測定端子２とベース導体３とをしっかりと接続することができる。
【００４９】
上記実施形態では、測定端子２を引込分岐端子箱５の側部５３から挿入することができるので、引込分岐端子箱５の蓋部５１１を閉じたまま、測定端子２とベース導体３とを接続することができる。そのため、接続作業が簡易であると共に、充電部が露出せず、感電する等の事故を防止することができる。
【００５０】
尚、本発明の測定構造１は、上記実施形態に限定されるものではなく、本発明の要旨を逸脱しない範囲内において種々変更を加え得ることは勿論である。
【００５１】
上記実施形態では、外れ防止部材４が、引込分岐端子箱５に対して着脱可能に構成され、嵌合部４１と、係止部４２と、柱状部４３と、を有する場合について説明したが、これに限定されるものではない。図７に示すように、外れ防止部材４は、一対の端子片２１に取り付けられていてもよい。また、外れ防止部材４は、一対の端子片２１に対して着脱可能に構成されていてもよい。
【００５２】
具体的には、測定端子２０は、先端２１１同士が接離するように基端２１２同士が連結された一対の端子片２１と、一対の端子片２１に対して相対移動可能に構成された外れ防止部材４と、を有していてもよい。そして、外れ防止部材４は、挿入孔５２の縁に係止する係止部４４を有する防止部本体部４５と、一対の端子片２１の間に配置され、一対の端子片２１同士を離間させる接離部４３と、を有していてもよい。即ち、接離部４３は、外広げ部材４３として機能する。一対の端子片２１の構成は、上記実施形態の一対の端子片２１の構成と同様であるためここでは省略する。
【００５３】
防止部本体部４５は、筒状に形成されている。防止部本体部４５は、自身の軸線方向における両端面のうちの一方の端面４５ａ上に、引込分岐端子箱５に形成された挿入孔５２の縁に係止する係止部４４を有する。接離部４３は、防止部本体部４５の軸線方向に直交する方向に並ぶ一対の側面４３１を有する。接離部４３は、防止部本体部４５の開口内に配置されており、該一対の側面４３１は、防止部本体部４５の内周面から離間するように配置されている。即ち、側面４３１と防止部本体部４５の内周面との間には、開口Ｐ２が形成され、各開口Ｐ２に各端子片２１が挿通されている。接離部４３は、防止部本体部４５における他方の端面４５ｂ側に向けて広がるように形成されている。即ち、一対の側面４３１は、テーパー面となっており、一対の端子片２１の基端２１２側で接近するように傾斜している。
【００５４】
上記構成の測定端子２をベース導体３に接続する方法について説明する。防止部本体部４５の係止部４４を、引込分岐端子箱５の挿入孔５２の縁に係止し、防止部本体部４５が側部５３に対して位置ずれしないように、一対の端子片２１を挿入孔５２に対して挿入する。接離部４３が、一対の端子片２１の基端２１２側に相対移動することで、基端２１２に接近し、一対の側面４３１と一対の端子片２１の各対向面２１４とが当接する。この状態で更に一対の端子片２１を挿入孔５２に対して挿入することで、一対の端子片２１同士が離間し始める。測定端子２とベース導体３との接続までの過程は、上記実施形態と同様であるため、説明は省略する。
【００５５】
かかる構成によれば、外れ防止部材４は、一対の端子片２１の基端２１２側に相対移動すると、一対の端子片２１同士が離れる方向に該一対の端子片２１を付勢する。そのため、一対の端子片２１を引込分岐端子箱５の挿入孔５２に挿入し、一対の端子片２１の先端２１１を対向する壁部３２の間に位置させた状態で、外れ防止部材４を一対の端子片２１の基端２１２側に相対移動させることで、一対の端子片２１が、外れ防止部材４によって先端２１１同士が離れる方向に付勢され、測定端子２とベース導体３とが接続する。そのため、測定端子２がベース導体３に密着するように（押し付けられるように）測定端子２が付勢された状態で、測定端子２とベース導体３とが接続するので、測定端子２とベース導体３とを強固に接続することができる。
【００５６】
また、外れ防止部材４は、引込分岐端子箱５、又は一対の端子片２１に対して取り付けられた状態で使用される場合に限定されるものではない。図８に示すように、外れ防止部材４は、引込分岐端子箱５、又は一対の端子片２１から独立していてもよい。
【００５７】
具体的には、外れ防止部材４は、一対の端子片２１の接離方向及び一対の端子片２１の先端２１１と基端２１２とを結ぶ方向（測定端子２の長さ方向）に直交する方向から一対の端子片２１同士の間に配置可能に構成されていてもよい。この場合、外れ防止部材４は、ベース４６と、該ベース４６から所定の方向に延出し、一対の端子片２１間に挿入可能な、外広げ部材４３としての挿入部４３と、を有する。該挿入部４３を、一対の端子片２１間に挿入することで、一対の端子片２１間を離間させ、測定端子２とベース導体３とを接続してもよい。外れ防止部材４の使用に際しては、挿入部４３を一対の端子片２１間に位置させた状態で測定端子２とベース導体３とを接続し、外れ防止部材４を一対の端子片２１の基端２１２側へスライドさせてもよい。また、測定端子２とベース導体３とを接続した状態で、挿入部４３を一対の端子片２１間に挿入し、外れ防止部材４を一対の端子片２１の基端２１２側にスライドさせてもよい。何れの場合でも、一対の端子片２１を離間する方向に付勢した状態で、測定端子２とベース導体３とをしっかりと接続することができる。
【００５８】
かかる構成によれば、一対の端子片２１と対向する壁部３２とを接続した後に、一対の端子片２１間に外れ防止部材４を配置することができる。また、一対の端子片２１間に外れ防止部材４を配置した後に、一対の端子片２１と対向する壁部３２とを接続することもできる。そのため、かかる構成では、外れ防止部材４が扱い易いものとなっている。
【００５９】
上記実施形態では、測定端子２は、一枚の矩形の板状部材が長手方向における中心を軸として、半分に折り曲げられたものである場合について説明したがこれに限定されるものではない。測定端子２は、一対の板状部材の基端同士が接合されて形成されていてもよい。
【００６０】
また、上記実施形態の測定端子２に限られず、測定端子２は、引込分岐端子箱５から抜けるのを防止するための種々の抜け止め手段を有するものであってもよい。例えば、図９に示すように、測定端子２は、抜け止め手段として一対の端子片２１の先端２１１同士が離間する方向に屈曲することで、先端側に近づくにつれて互いに離間する末広がり形状となるように形成されていてもよい。このようにすることで、先端２１１を段差部３２３に引っ掛けた状態で、測定端子２をベース導体３に接続することができる。そのため、測定端子２が挿入方向とは反対方向に引っ張られたとしても、測定端子２が引込分岐端子箱５から抜け難くなる。
【００６１】
更に、測定端子２は、抜け止め手段として柱状部４３が嵌り込むように構成された抜け止め部Ｋを有していてもよい。例えば、図９に示すように、抜け止め部Ｋは、柱状部４３の外周面の形状に合せて湾曲して形成され、測定端子２がベース導体３に接続された状態で、柱状部４３が抜け止め部Ｋに密着して収まるように構成されていてもよい。このようにすることで、測定端子２が挿入方向とは反対方向に引っ張られたとしても、抜け止め部Ｋが柱状部４３の外周面に当たって、測定端子２の該反対方向への移動が妨げられるので、測定端子２が引込分岐端子箱５から抜け難くなる。
【００６２】
また、測定端子２は、先端２１１同士が互いに離間する末広がり形状となる構成、及び抜け止め部Ｋの双方を備えていてもよいし、何れか一方の構成を備えていてもよい。また、抜け止め手段として、測定端子２に柱状部４３に対する滑り止め手段を施すことによって、測定端子２が柱状部４３に対して位置ずれするのを防止するなど、抜け止めのための種々の構成を採用し得る。
【００６３】
上記実施形態では、外れ防止部材４を引込分岐端子箱５の挿入孔５２に取り付ける場合について説明したが、これに限定されるものではない。外れ防止部材４は、引込分岐端子箱５と一体的に形成されていてもよい。
【００６４】
上記実施形態では、測定端子２を電線Ｗが接続されていない電線受入凹所３３内でベース導体３と接続する場合について説明したがこれに限定されるものではない。電線Ｗが挿入された側部５３と反対側の側部５３に形成された挿入孔５２から測定端子２を挿入することで、測定端子２を、電線が配置された電線受入凹所３３内でベース導体３に接続することができる。
【００６５】
上記実施形態では、電圧を測定する場合について説明したが、これに限定されるものではない。測定構造１によって、電流、抵抗、温度等、測定端子２との電気的な接続によって測定可能な対象を測定することもできる。
【００６６】
上記実施形態では、柱状部４３が円柱状である場合について説明したが、これに限定されるものではない。柱状部４３は、角柱状であってもよい。また、柱状部４３の側面には、一対の端子片２１を挿入孔５２に対して挿入する際に、一対の端子片２１を案内するための、凹所が形成されていてもよい。
【００６７】
上記実施形態では、外れ防止部材４の外広げ部材４３の一例として、柱状部４３の説明をしたが、これに限定されるものではない。外広げ部材４３は、例えば、嵌合部４１の開口内において、格子状に形成された格子部が配置されていたり、複数本の棒状部材が平行に並設されていたりしてもよい。これにより、一対の端子片２１の構造に応じて、挿入する部分を選択することもできる。
【００６８】
上記実施形態では、外れ防止部材４を引込分岐端子箱５の挿入孔５２に嵌合させることによって、引込分岐端子箱５に取り付ける場合について説明したが、これに限定されるものではない。外れ防止部材４は、一対の端子片２１間に位置可能な外広げ部材４３を有していればよい。例えば、外れ防止部材４は、所定の太さの棒状部材を有し、該棒状部材が挿入孔５２の開口領域に重なるように、引込分岐端子箱５にバンド等で固定されてもよい。そして、棒状部材のうち、挿入孔５２の開口領域に重なった部分を外広げ部材４３としてもよい。
【００６９】
上記実施形態では、測定構造１として、測定端子２と引込分岐端子箱５内のベース導体３とを接続する場合について説明したが、これに限定されるものではない。測定構造１は、一対の端子片２１の先端２１１が一対の接続部３２の間に位置し、各先端２１１の接離方向の外側面２１５が各接続部３２の内面に係止するように、測定端子２と接続対象３とが接続される構造に対して適用することができる。
【符号の説明】
【００７０】
１…測定構造、２，２０…測定端子、２１…一対の端子片、２１４…対向面、２１５…外側面、２１６…操作部、３…ベース導体（接続対象）、３１…ベース部、３２…壁部（一対の接続部）、３３…電線受入凹所、３４…押圧部材、３５…ボルト、３１１…凹部、３２１…厚壁部、３２２…薄壁部、３２３…段差部、４…外れ防止部材、４１…嵌合部、４２，４４…係止部、４３…柱状部（接離部，挿入部，外広げ部材）、４３１…一対の側面、４５…防止部本体部、４５ａ…一方の端面、４５ｂ…他方の端面、４６…ベース、５…引込分岐端子箱、５１…本体部、５２…挿入孔、５３…側部、５４…底部、５１１…蓋部、５１２…収容部、５３１…一対の幅側部、５３２…一対の長手側部、Ｄ１…離間距離、Ｄ２…対向距離、Ｌ…電圧測定ケーブル、Ｐ１…隙間、Ｐ２…開口、Ｓ…自然姿勢、Ｔ１…内挟姿勢、Ｔ２…外広姿勢、Ｗ…電線、Ｋ…抜け止め部
【図１】
2018036135.tif 000003
【図２】
2018036135.tif 000004
【図３】
2018036135.tif 000005
【図４】
2018036135.tif 000006
【図５】
2018036135.tif 000007
【図６】
2018036135.tif 000008
【図７】
2018036135.tif 000009
【図８】
2018036135.tif 000010
【図９】
2018036135.tif 000011
【図１０】
2018036135.tif 000012